(57)【特許請求の範囲】
【請求項１】
３辺を開封用ミシン目にて切り取り開封する封書において、少なくとも１辺における前記開封用ミシン目と封書端縁との間の領域にエンボスによる滑り止めが施されている構成からなることを特徴とする封書。
【請求項２】
剥離可能に接着された紙片間を剥離して見開く隠蔽葉書において、剥離する紙片の角部に切欠を設けて剥離開始部とし、前記切欠に対向する紙片の角部の領域にエンボスによる滑り止めが施されている構成からなることを特徴とする隠蔽葉書。
【発明の詳細な説明】
【０００１】
【発明の属する技術分野】
本発明は滑り止めを施すことにより開封し易くした封書、隠蔽葉書等の郵便物に関する。
【０００２】
【従来の技術】
従来、Ｚ状に３つ折りされ周縁にて接着して封緘された３つ折り封書の場合、３辺を開封用ミシン目にて切り取って開封するものであるが、折り重ねられた３枚の紙片を開封用ミシン目にて引き裂かねばならないために強い力が必要であり、その際に指で摘んだ部分が滑って引き裂き難いという欠点があった。また、Ｚ状に３つ折りされ下紙片と中紙片が剥離可能に接着された隠蔽葉書においては、下紙片の角部に設けられた切欠の部分と、切欠に対向する上紙片と中紙片の接着して重合された角部を指で摘んで、下紙片と中紙片間を剥離させて見開くものであるが、摘み部が小さく且つ滑りやすいので見開き難いという欠点があった。
【０００３】
【発明が解決しようとする課題】
本発明は、開封する際に摘み部が滑らず、切取りないしは剥離し易い封書、隠蔽葉書等の郵便物を提供することである。
【０００４】
【課題を解決するための手段】
３辺を開封用ミシン目にて切り取り開封する封書において、少なくとも１辺における前記開封用ミシン目と封書端縁との間の領域にエンボスによる滑り止めが施されている構成の封書であるので、エンボスが施された部分を指で摘んで開封用の開封用ミシン目にて紙片を引き裂く際に、指で摘んだ部分の紙片がエンボスにより形成された凹凸により滑らなくなるので開封し易くなる。
【０００５】
剥離可能に接着された紙片間を剥離して見開く隠蔽葉書において、剥離する紙片の角部に切欠を設けて剥離開始部とし、前記切欠に対向する紙片の角部の領域にエンボスによる滑り止めが施されている構成の隠蔽葉書であるので、下紙片の角部に設けられた切欠の部分と、切欠に対向する紙片の角部のエンボスにより凹凸が形成された領域を指で摘んで、下紙片を剥離させて見開く際に摘み部が滑らず見開き易くなる。
【０００６】
【発明の実施の形態】
以下、図面に基づいて本発明の実施の形態を説明する。
図１は本発明の第１実施形態を示す平面図、図２は図１におけるＩ−Ｉ断面図、図３は図１におけるII−II断面図、図４は本発明の第２実施形態の（イ）は表面の平面図で（ロ）は裏面の平面図、図５は図４におけるＩ−Ｉ断面図、図６は本発明の第２実施形態の展開した状態を示す表面の平面図、図７は本発明の第３実施形態の（イ）は表面の平面図で（ロ）は裏面の平面図、図８は図７におけるＩ−Ｉ断面図であって、１は上紙片、２は中紙片、３は下紙片、4,5 は開封用ミシン目、６はエンボス、6aは凸部、6bは凹部、7,9 は接着部、８は切欠、10は剥離可能接着部、11は紙片をそれぞれ表す。
【０００７】
本発明の第１実施形態は図１〜図３に示すとおりの３つ折り封書である。平面形状は、図１に示すように、右側の側端に沿った開封用ミシン目４と上下の側端に沿った開封用ミシン目５が設けられていると共に、右側の側端と開封用ミシン目４との間の領域に上下方向に全長にわたってエンボス６が形成されている。第１実施形態の場合、エンボス６が施された部分を指で摘んで開封用ミシン目４にて封書の側端部を切り取り開封する際に、エンボス６が滑り止めの働きをするので指で摘んだ部分が滑らず開封し易くなる。
【０００８】
第１実施形態の横方向の断面形状は、図２に示すとおり、上紙片１と中紙片２と下紙片３が折目線にてＺ状に折り重ねられて、上紙片１と下紙片３の折目以外の周縁部が対向する中紙片２に接着部７にて接着されて封緘されており、上紙片１の折目線側の側端に沿って側端から所定寸法内側の接着部７の内側の位置に、開封用ミシン目４が上紙片１と中紙片２と下紙片３に設けられていると共に、上紙片１の側端と開封用ミシン目４の間の領域にエンボス６が形成されている。エンボス６の断面形状は、図３に示すとおり、上紙片１と中紙片２と下紙片３が重合してなる紙片11にエンボス６による凸部6aと凹部6bが形成された構成となっている。エンボス６は凸部6aと凹部6bにより形成されているので、エンボス６が施された部分を指で摘んだ際の滑り止め効果を有するものである。エンボス６により形成される凹凸の形状は線状、点状、碁盤目状等任意であり、摘んだ際に滑りにくい形状であればよい。
【０００９】
エンボス６を形成するには、上紙片１と中紙片２と下紙片３が折目線にて連接され、各紙片の周縁部を接着するための接着剤が所定位置に塗布された帳票を、上紙片１が上面とくるように折目線にてＺ状に３つ折りして、２本の加圧ロール間で加圧して周縁部を接着部７にて封緘して封書とする工程にて、開封用ミシン目４に沿った側端部を加圧する２本のロールの表面に、それぞれ凸部と凹部が噛み合うように形成された加圧ロールを使用して加圧することによりエンボス６を形成する方法にて行われる。封書を作製するのと別工程にてエンボス６を形成することもできるが、その場合には工程が増えることになるのでコスト高になり好ましくない。
【００１０】
本発明の第１実施形態を３つ折り封書について説明したが、本発明の開封用滑り止め付き封書は３つ折りに限定されるものではなく、３辺を開封用ミシン目にて切り取り開封する構成の封書であれば、４つ折りまたは多重折りの構成からなる封書に適用することもできるものである。多重折りの封書は、開封することにより一辺にて綴じられた冊子状となるものであり、開封用ミシン目にて切り取る紙片数が増えるために切り取りにくくなるのであるが、エンボスによる滑り止めを設けることにより開封が容易となるので極めて効果的である。
【００１１】
本発明の第２実施形態は、図４〜図６に示すとおり、３つ折りの隠蔽葉書である。展開した状態は、図６に示すように、両面に感圧接着剤層が形成された紙からなり、上紙片１と中紙片２と下紙片３が折目線にて連接されると共に、下紙片３の折目線と対向する側端の下側の角部に切欠８が設けられ、上紙片１と中紙片２の下部の上紙片１と中紙片２間の折目線に隣接した領域にエンボス６が形成された形状である。
【００１２】
図６に示す展開した状態から、上紙片１と中紙片２と下紙片３が折目線にて連接された帳票を、上紙片１が上面にくるようにＺ状に折り重ねて中紙片２と下紙片３間を剥離可能に接着することにより、図４に示す第２実施形態の隠蔽葉書が得られる。表面の形状は、図４（イ）に示すように、上紙片１と中紙片２の下部の折目線に隣接する領域にエンボス６が形成されており、裏面の形状は、図４（ロ）の示すように、下紙片３の折目線と対向する側端の下側の角部に切欠８が設けられており、切欠８の部分が上紙片１と中紙片２の下部に施されたエンボス６と重合している。
【００１３】
第２実施形態のエンボス６が施された部分の断面形状は、図５に示すように、中紙片２と下紙片３間は剥離可能接着部10にて剥離可能に接着されると共に、上紙片１と中紙片２間は接着部９により強く接着されており、下紙片３に形成された切欠８に対応する上紙片１と中紙片２の折目線に隣接する領域にエンボス６が施されている構成である。エンボス６により形成される凹凸の形状は線状、点状、碁盤目状等任意であり、摘んだ際に滑りにくい形状であればよい。
【００１４】
第２実施形態の隠蔽葉書にエンボス６を形成するには、両面に感圧接着剤層が形成れたロール状の紙を使用して、所定の固定情報を印刷すると同時に折目線および切欠８を形成する工程にて、所定の領域にエンボス６を施すことにより行われる。次いで、個別情報をデータ出力によりプリントした後に、上紙片１と中紙片２と下紙片３を折目線にて上紙片１が上面となるようにＺ状に３つ折りして、加圧ロールにて加圧して、上紙片１と中紙片２とを強く接着すると共に中紙片２と下紙片３とを剥離可能に接着する、通常の隠蔽葉書の場合と同様の方法で作製できる。また、隠蔽葉書を作製する工程と別工程にてエンボス６を形成することもできるが、その場合には工程が増えることになるのでコスト高になり好ましくない。
【００１５】
本発明の第３実施形態は、図７〜図８に示すように、２つ折りの隠蔽葉書である。断面の状態は、図８に示すように、一方の面に感圧接着剤層が形成された紙からなり、上紙片１と下紙片３を折目線にて感圧接着剤層が内側にくるように２つ折りして上紙片１と下紙片３間を剥離可能に接着した構成であり、図７（ロ）に示すように、下紙片３の側端の下側の角部に切欠８が設けられていると共に、図７（イ）に示すように、切欠８に対向する上紙片１の側端の下側の角部の領域にエンボス６が形成された構成である。
【００１６】
本発明の封書、隠蔽葉書等の開封用滑り止め付き郵便物は、通常の３つ折り封書ないしは隠蔽葉書の製造工程をそのまま利用して、封書の場合には加圧して封緘する際の縦方向の側端部に対応する加圧ロールの表面に凹凸を形成しておくことにより、また隠蔽葉書の場合には両面に感圧接着剤層を形成したロール状の紙に印刷および加工を行う工程にて所定の領域にエンボスを施すことにより、滑り止め効果を有する封書、隠蔽葉書等の郵便物を、特別な工程を設けずに製造できるのでコストアップにならないという特徴を有する。
【００１７】
【発明の効果】
３辺を開封用ミシン目にて切り取り開封する封書において、少なくとも１辺における前記開封用ミシン目と封書端縁との間の領域にエンボスによる滑り止めが施されている構成の封書であるので、エンボスが施された部分を指で摘んで開封用の開封用ミシン目にて紙片を引き裂く際に、指で摘んだ部分の紙片がエンボスにより形成された凹凸により滑らなくなるので開封し易くなる。
剥離可能に接着された紙片間を剥離して見開く隠蔽葉書において、剥離する紙片の角部に切欠を設けて剥離開始部とし、前記切欠に対向する紙片の角部の領域にエンボスによる滑り止めが施されている構成の隠蔽葉書であるので、下紙片の角部に設けられた切欠の部分と、切欠に対向する紙片の角部のエンボスにより凹凸が形成された領域を指で摘んで、下紙片を剥離させて見開く際に摘み部が滑らず見開き易くなる。
【図面の簡単な説明】
【図１】本発明の第１実施形態を示す平面図。
【図２】図１におけるＩ−Ｉ断面図。
【図３】図１におけるII−II断面図。
【図４】本発明の第２実施形態の（イ）は表面を示す平面図で（ロ）は裏面を示す平面図。
【図５】図４におけるＩ−Ｉ断面図。
【図６】本発明の第２実施形態の展開した状態を示す表面の平面図。
【図７】本発明の第３実施形態の（イ）は表面を示す平面図で（ロ）は裏面を示す平面図。
【図８】図７におけるＩ−Ｉ断面図。
【符号の説明】
１  上紙片                          7, 9  接着部
２  中紙片                          ８  切欠
３  下紙片                          10  剥離可能接着部
4, 5  開封用ミシン目                11  紙片
６  エンボス
6a  凸部
6b  凹部
【図１】
0003868590.tif 000002
【図２】
0003868590.tif 000003
【図３】
0003868590.tif 000004
【図４】
0003868590.tif 000005
【図５】
0003868590.tif 000006
【図６】
0003868590.tif 000007
【図７】
0003868590.tif 000008
【図８】
0003868590.tif 000009